(57)【要約】【課題】プロジェクタの有する投写レンズに対する衝撃による傷つけを防止する梱包物およびコーナーパッドを提供することを目的とする。【解決手段】梱包物１００は、投写レンズ８１を有する被梱包物としてのプロジェクタ８と、プロジェクタ８を内部に収容するための梱包箱１と、プロジェクタ８に対する衝撃を緩和するための緩衝部（底面リブ２１、側面リブ２２）を有して投写レンズ８１に最も近いプロジェクタ８本体の隅部８３に対応して設置される第１コーナーパッド２と、プロジェクタ８に対する衝撃を緩和するための緩衝部（底面リブ３１、側面リブ３２）を有して投写レンズ８１に最も近い隅部８３以外のプロジェクタ８の隅部８４，８５，８６のいずれかに対応して設置される第２コーナーパッド３と、を有し、第１コーナーパッド２と第２コーナーパッド３とは少なくとも形状または材質の一方が異なる。【選択図】図６
2008239203.tif 000002
【特許請求の範囲】
【請求項１】
投写レンズを有する被梱包物としてのプロジェクタと、
前記プロジェクタを内部に収容するための梱包箱と、
前記プロジェクタに対する衝撃を緩和するための緩衝部を有し、前記投写レンズに最も
近い前記プロジェクタ本体の隅部に対応して設置される第１コーナーパッドと、
前記プロジェクタに対する衝撃を緩和するための緩衝部を有し、前記投写レンズに最も
近い前記隅部以外の前記プロジェクタ本体の隅部のいずれかに対応して設置される第２コ
ーナーパッドと、を有し、
前記第１コーナーパッドと前記第２コーナーパッドとは少なくとも形状または材質の一
方が異なることを特徴とする梱包物。
【請求項２】
請求項１に記載の梱包物であって、
前記第１コーナーパッドの前記緩衝部は、前記プロジェクタの水平方向に対する衝撃を
緩和する水平用緩衝部を有し、
前記投写レンズに最も近く、また前記投写レンズの光軸に略平行となる前記水平用緩衝
部の側面部は、前記投写レンズと前記投写レンズ側の前記プロジェクタ本体の側面部との
間に、前記投写レンズの縁から所定の距離を有して配置されていることを特徴とする梱包
物。
【請求項３】
請求項１に記載の梱包物であって、
前記第１コーナーパッドと前記プロジェクタとの間、および前記第２コーナーパッドと
前記プロジェクタとの間に配置される前記プロジェクタ収納用のスペーサを有し、
前記第１コーナーパッドの前記緩衝部は、前記プロジェクタの水平方向に対する衝撃を
緩和する水平用緩衝部を有し、
前記投写レンズに最も近く、また前記投写レンズの光軸に略平行となる前記水平用緩衝
部の側面部は、前記投写レンズと前記投写レンズ側の前記スペーサの外側面部との間に、
前記投写レンズの縁から所定の距離を有して配置されていることを特徴とする梱包物。
【請求項４】
請求項３に記載の梱包物であって、
前記投写レンズに最も近く、また前記投写レンズの光軸に略平行となる前記水平用緩衝
部の側面部は、前記投写レンズと前記投写レンズ側の前記プロジェクタ本体の側面部との
間に、前記投写レンズの縁から所定の距離を有して配置されていることを特徴とする梱包
物。
【請求項５】
請求項１〜請求項４のいずれか一項に記載の梱包物であって、
前記第１コーナーパッドは、パルプモールド材または段ボール紙によって形成されてい
ることを特徴とする梱包物。
【請求項６】
投写レンズを有するプロジェクタへの衝撃を緩和するための緩衝部を有する緩衝用のコ
ーナーパッドにおいて、
前記投写レンズに最も近い前記プロジェクタ本体の隅部に対応して設置される第１コー
ナーパッドと、
前記投写レンズに最も近い前記隅部以外の前記プロジェクタ本体の隅部のいずれかに対
応して設置される第２コーナーパッドと、を有し、
前記第１コーナーパッドと前記第２コーナーパッドとは少なくとも形状または材質の一
方が異なることを特徴とするコーナーパッド。
【請求項７】
請求項６に記載のコーナーパッドであって、
前記第１コーナーパッドの前記緩衝部は、前記プロジェクタの水平方向に対する衝撃を
緩和する水平用緩衝部を有し、
前記投写レンズに最も近く、また前記投写レンズの光軸に略平行となる前記水平用緩衝
部の側面部は、前記投写レンズと前記投写レンズ側の前記プロジェクタ本体の側面部との
間に、前記投写レンズの縁から所定の距離を有して配置されていることを特徴とするコー
ナーパッド。
【請求項８】
請求項６に記載のコーナーパッドであって、
前記第１コーナーパッドと前記プロジェクタとの間、および前記第２コーナーパッドと
前記プロジェクタとの間に配置される前記プロジェクタ収納用のスペーサを有する場合、
前記第１コーナーパッドの前記緩衝部は、前記プロジェクタの水平方向に対する衝撃を
緩和する水平用緩衝部を有し、
前記投写レンズに最も近く、また前記投写レンズの光軸に略平行となる前記水平用緩衝
部の側面部は、前記投写レンズと前記投写レンズ側の前記スペーサの外側面部との間に、
前記投写レンズの縁から所定の距離を有して配置されていることを特徴とするコーナーパ
ッド。
【請求項９】
請求項８に記載のコーナーパッドであって、
前記投写レンズに最も近く、また前記投写レンズの光軸に略平行となる前記水平用緩衝
部の側面部は、前記投写レンズと前記投写レンズ側の前記プロジェクタ本体の側面部との
間に、前記投写レンズの縁から所定の距離を有して配置されていることを特徴とするコー
ナーパッド。
【請求項１０】
請求項６〜請求項９のいずれか一項に記載のコーナーパッドであって、
前記第１コーナーパッドは、パルプモールド材または段ボール紙によって形成されてい
ることを特徴とするコーナーパッド。
【発明の詳細な説明】
【技術分野】
【０００１】
本発明は、プロジェクタを梱包する梱包物およびコーナーパッドに関するものである。
【背景技術】
【０００２】
一般に、プロジェクタなどの電子機器は、段ボール箱などの梱包箱内にその付属品や取
扱説明書とともに梱包され、運搬や保管が行なわれている。
プロジェクタなどの電子機器の梱包物に関して、特許文献１では、被梱包物を収容する
梱包箱と、被梱包物に対する衝撃を緩和する第１緩衝部と第２緩衝部を有する緩衝用のコ
ーナーパッドと、コーナーパッドの第１緩衝部と被梱包物との間で、かつ第２緩衝部の内
側に配置された被梱包物収納用のスペーサとを備えた梱包物において、コーナーパッドは
、コーナーパッドの隣接する側面よりも、コーナーパッドの梱包箱側の面方向に対する強
度が弱い第３緩衝部を備えることが開示されている。
【０００３】
このような梱包物においては、梱包時にコーナーパッドにおける側面リブの内側に配置
可能な形状を有するスペーサが配置される。この場合、各質量及び外形形状が互いに異な
る多種の被梱包物の梱包に対して単数組のコーナーパッドで済ませることができる。した
がって、単一の型板で多種の被梱包物に対応した下方の梱包緩衝部材を成形することがで
きるとともに、下方の梱包緩衝部材の成形を少量の成形材料で済ませることができ、製造
コストの低廉化を図ることができる。
【０００４】
【特許文献１】特開２００４−１５５５０２号公報
【発明の開示】
【発明が解決しようとする課題】
【０００５】
しかし、被梱包物がプロジェクタのように投写レンズを有するものである場合、プロジ
ェクタ本体に対する投写レンズの取付け位置により、特許文献１でのコーナーパッドを用
いた場合には、運搬時等に投写レンズをコーナーパッドで傷つけてしまうことが発生して
いた。
【０００６】
本発明は、上述した課題に鑑みてなされたものであり、プロジェクタの有する投写レン
ズに対する衝撃による傷つけを防止する梱包物およびコーナーパッドを提供することを目
的とする。
【課題を解決するための手段】
【０００７】
上述した目的を達成するために、本発明の梱包物は、投写レンズを有する被梱包物とし
てのプロジェクタと、プロジェクタを内部に収容するための梱包箱と、プロジェクタに対
する衝撃を緩和するための緩衝部を有して投写レンズに最も近いプロジェクタ本体の隅部
に対応して設置される第１コーナーパッドと、プロジェクタに対する衝撃を緩和するため
の緩衝部を有して投写レンズに最も近い前記隅部以外のプロジェクタ本体の隅部のいずれ
かに対応して設置される第２コーナーパッドと、を有し、第１コーナーパッドと第２コー
ナーパッドとは少なくとも形状または材質の一方が異なることを特徴とする。
【０００８】
このような梱包物によれば、投写レンズを有するプロジェクタを梱包する際、投写レン
ズに最も近いプロジェクタ本体の隅部に対応して設置される第１コーナーパッドを、投写
レンズに最も近い前記隅部以外のプロジェクタ本体の隅部のいずれかに対応して設置され
る第２コーナーパッドとは少なくとも形状または材質の一方を異ならせる。これにより、
第１コーナーパッドを、投写レンズに対する衝撃による傷つけを防止する最適な形状とす
ることができる。従って、運搬時等の投写レンズに対する衝撃による傷つけを防止する梱
包物が可能となる。特に、投写レンズに最も近い隅部以外のプロジェクタ本体の隅部の全
てに第２コーナーパッドを設置した場合には、第２コーナーパッドは単一の型板で成形し
たコーナーパッドを用いることができるため、製造コストの低廉化を維持することができ
る。
【０００９】
また、梱包物において、第１コーナーパッドの緩衝部は、プロジェクタの水平方向に対
する衝撃を緩和する水平用緩衝部を有し、投写レンズに最も近く、また投写レンズの光軸
に略平行となる水平用緩衝部の側面部は、投写レンズと投写レンズ側のプロジェクタ本体
の側面部との間に、投写レンズの縁から所定の距離を有して配置されていることが好まし
い。
【００１０】
このような梱包物によれば、第１コーナーパッドの緩衝部は、水平用緩衝部を有してお
り、投写レンズから、投写レンズに最も近く、投写レンズの光軸に略平行となる水平用緩
衝部の側面部までの距離（所定の距離）を、運搬時等の衝撃による水平用緩衝部の変形量
以上にすることで、投写レンズの水平方向に対する衝撃による傷つけを防止できる。また
、水平用緩衝部の側面部は、投写レンズと投写レンズ側のプロジェクタ本体の側面部との
間に配置されるため、プロジェクタ本体の水平方向に対する衝撃による傷つけも防止する
梱包物が可能となる。
【００１１】
また、梱包物において、第１コーナーパッドとプロジェクタとの間、および第２コーナ
ーパッドとプロジェクタとの間に配置されるプロジェクタ収納用のスペーサを有し、第１
コーナーパッドの緩衝部は、プロジェクタの水平方向に対する衝撃を緩和する水平用緩衝
部を有し、投写レンズに最も近く、また投写レンズの光軸に略平行となる水平用緩衝部の
側面部は、投写レンズと投写レンズ側のスペーサの外側面部との間に、投写レンズの縁か
ら所定の距離を有して配置されていることが好ましい。
【００１２】
このような梱包物によれば、スペーサを有する場合に、投写レンズから、投写レンズに
最も近く、また投写レンズの光軸に略平行となる水平用緩衝部の側面部までの距離（所定
の距離）を、運搬時等の衝撃による水平用緩衝部の変形量以上にすることで、投写レンズ
に対する衝撃による傷つけを防止できる。また、側面部は、投写レンズと投写レンズ側の
スペーサの外側面部との間に配置されるため、スペーサを緩衝部材として使用しながら、
正面方向に対する衝撃に緩衝作用を奏しつつ、プロジェクタ本体の水平方向に対する衝撃
による傷つけも防止する梱包物が可能となる。
【００１３】
また、上記梱包物において、投写レンズに最も近く、また投写レンズの光軸に略平行と
なる水平用緩衝部の側面部は、投写レンズと投写レンズ側のプロジェクタ本体の側面部と
の間に、投写レンズの縁から所定の距離を有して配置されていることが好ましい。
【００１４】
このような梱包物によれば、スペーサを有する場合に、投写レンズから、投写レンズに
最も近く、また投写レンズの光軸に略平行となる水平用緩衝部の側面部までの距離（所定
の距離）を、運搬時等の衝撃による水平用緩衝部の変形量以上にすることで、投写レンズ
に対する衝撃による傷つけを防止できる。また、側面部は、投写レンズと投写レンズ側の
プロジェクタ本体の側面部との間に配置されるため、スペーサを緩衝部材として使用しな
がら、正面方向に対する衝撃に緩衝作用を奏しつつ、プロジェクタ本体の水平方向に対す
る衝撃による傷つけも防止する梱包物が可能となる。特に、正面方向に対し、水平緩衝部
がプロジェクタに対し重なるため、重量のあるプロジェクタの正面方向の衝撃に対し有効
に緩衝作用を奏することができる。
【００１５】
また、梱包物において、第１コーナーパッドは、パルプモールド材または段ボール紙に
よって形成されていることが好ましい。
【００１６】
このような梱包物によれば、第１コーナーパッドがパルプモールド材で形成される場合
には、型板による成形が可能となり、第１コーナーパッドの成形を少量の成形材料で済ま
せることができ、梱包物の製造コストの低廉化を図ることができる。また、第１コーナー
パッドが段ボール紙で形成される場合には、プロジェクタの種類により投写レンズの取付
け位置が変化する場合に、対応し易くなる。
【００１７】
上述した目的を達成するために、本発明のコーナーパッドは、投写レンズを有するプロ
ジェクタへの衝撃を緩和するための緩衝部を有する緩衝用のコーナーパッドであり、投写
レンズに最も近いプロジェクタ本体の隅部に対応して設置される第１コーナーパッドと、
投写レンズに最も近い前記隅部以外のプロジェクタ本体の隅部のいずれかに対応して設置
される第２コーナーパッドと、を有し、第１コーナーパッドと第２コーナーパッドとは少
なくとも形状または材質の一方が異なることを特徴とする。
【００１８】
このようなコーナーパッドによれば、投写レンズを有するプロジェクタをコーナーパッ
ドに載置する際、投写レンズに最も近いプロジェクタ本体の隅部に対応して設置される第
１コーナーパッドを、投写レンズに最も近い前記隅部以外のプロジェクタ本体の隅部のい
ずれかに対応して設置される第２コーナーパッドとは少なくとも形状または材質の一方が
異ならせる。これにより、第１コーナーパッドを、投写レンズに対する衝撃による傷つけ
を防止する最適な形状とすることができる。従って、このようなコーナーパッドを使用し
てプロジェクタを梱包する場合に、運搬時等の投写レンズに対する衝撃による傷つけを防
止する梱包物が可能となる。特に、投写レンズに最も近い隅部以外のプロジェクタ本体の
隅部の全てに第２コーナーパッドを設置した場合には、第２コーナーパッドは単一の型板
で成形したコーナーパッドを用いることができるため、製造コストの低廉化を維持するこ
とができる。
【００１９】
また、コーナーパッドにおいて、第１コーナーパッドの緩衝部は、プロジェクタの水平
方向に対する衝撃を緩和する水平用緩衝部を有し、投写レンズに最も近く、また投写レン
ズの光軸に略平行となる水平用緩衝部の側面部は、投写レンズと投写レンズ側のプロジェ
クタ本体の側面部との間に、投写レンズの縁から所定の距離を有して配置されていること
が好ましい。
【００２０】
このようなコーナーパッドによれば、投写レンズから、投写レンズに最も近く、また投
写レンズの光軸に略平行となる水平用緩衝部の側面部までの距離（所定の距離）を、運搬
時等の衝撃による水平用緩衝部の変形量以上にすることで、投写レンズに対する衝撃によ
る傷つけを防止できる。また、側面部は、投写レンズと投写レンズ側のプロジェクタ本体
の側面部との間に配置されるため、プロジェクタ本体の水平方向に対する衝撃による傷つ
けも防止するコーナーパッドが可能となる。
【００２１】
また、コーナーパッドにおいて、第１コーナーパッドとプロジェクタとの間、および第
２コーナーパッドとプロジェクタとの間に配置されるプロジェクタ収納用のスペーサを有
する場合、第１コーナーパッドの緩衝部は、プロジェクタの水平方向に対する衝撃を緩和
する水平用緩衝部を有し、投写レンズに最も近く、また投写レンズの光軸に略平行となる
水平用緩衝部の側面部は、投写レンズと投写レンズ側のスペーサの外側面部との間に、投
写レンズの縁から所定の距離を有して配置されていることが好ましい。
【００２２】
このようなコーナーパッドによれば、スペーサを有する場合に、投写レンズから、投写
レンズに最も近く、また投写レンズの光軸に略平行となる水平用緩衝部の側面部までの距
離（所定の距離）を、運搬時等の衝撃による水平用緩衝部の変形量以上にすることで、投
写レンズに対する衝撃による傷つけを防止できる。また、側面部は、投写レンズと投写レ
ンズ側のスペーサの外側面部との間に配置されるため、スペーサを緩衝部材として使用し
ながら、正面方向に対する衝撃に緩衝作用を奏しつつ、プロジェクタ本体の水平方向に対
する衝撃による傷つけも防止するコーナーパッドが可能となる。
【００２３】
また、上記コーナーパッドにおいて、記投写レンズに最も近く、また投写レンズの光軸
に略平行となる水平用緩衝部の側面部は、投写レンズと投写レンズ側のプロジェクタ本体
の側面部との間に、投写レンズの縁から所定の距離を有して配置されていることが好まし
い。
【００２４】
このようなコーナーパッドによれば、スペーサを有する場合に、投写レンズから、投写
レンズに最も近く、また投写レンズの光軸に略平行となる水平用緩衝部の側面部までの距
離（所定の距離）を、運搬時等の衝撃による水平用緩衝部の変形量以上にすることで、投
写レンズに対する衝撃による傷つけを防止できる。また、側面部は、投写レンズと投写レ
ンズ側のプロジェクタ本体の側面部との間に配置されるため、スペーサを緩衝部材として
使用しながら、正面方向に対する衝撃に緩衝作用を奏しつつ、プロジェクタ本体の水平方
向に対する衝撃による傷つけも防止するコーナーパッドが可能となる。特に、正面方向に
対し、水平緩衝部がプロジェクタに対し重なるため、重量のあるプロジェクタの正面方向
の衝撃に対し有効に緩衝作用を奏することができる。
【００２５】
また、コーナーパッドにおいて、第１コーナーパッドは、パルプモールド材または段ボ
ール紙によって形成されていることが好ましい。
【００２６】
このようなコーナーパッドによれば、第１コーナーパッドがパルプモールド材で形成さ
れる場合には、型板による成形が可能となり、第１コーナーパッドの成形を少量の成形材
料で済ませることができ、第１コーナーパッドの製造コストの低廉化を図ることができる
。また、第１コーナーパッドが段ボール紙で形成される場合には、プロジェクタの種類に
より投写レンズの取付け位置が変化する場合に、対応し易くなる。
【発明を実施するための最良の形態】
【００２７】
以下、本発明の実施形態を図面に基づいて説明する。
（第１実施形態）
【００２８】
図１は、本発明の第１実施形態に係る梱包物の概断面図であり、同図（ａ）は、長辺側
から見た状態を示す断面図であり、同図（ｂ）は、短辺側から見た状態を示す断面図であ
る。図２は、第１コーナーパッドを示す斜視図である。図３は、第２コーナーパッドを示
す斜視図である。図４は、被梱包物としてのプロジェクタの斜視図であり、同図（ａ）は
、上面部を示す斜視図であり、同図（ｂ）は、底面部を示す斜視図である。図５は、梱包
物の梱包方法を示す図である。図１〜図５を参照して、梱包物１００の構成および梱包方
法を説明する。
【００２９】
図１に示すように、梱包物１００は、梱包箱１とコーナーパッド（第１コーナーパッド
２、第２コーナーパッド３）と上下スペーサ（上部スペーサとしてのスペーサ４、下部ス
ペーサとしてのスペーサ５）と付属品箱６とで大略構成されている。
【００３０】
梱包箱１は、図１および図５に示すように、段ボール紙からなる角形箱によって形成さ
れている。そして、図４に示すような被梱包物としてのプロジェクタ８を梱包し得るよう
に構成されている。この梱包箱１は、長尺な平面矩形状の段ボール紙（図示省略）を切断
および折り曲げて組み立てられる。梱包箱１における短辺側の側壁１Ａ，１Ｂには、手掛
け孔１１を形成するためのトラック形状を有する領域部１２が設けられている。領域部１
２の上部がヒンジ部１３となり、領域部１２を梱包箱１内側に押圧することで、ヒンジ部
１３を中心に領域部１２が梱包箱１内側に入り込むことで、手掛け孔１１が形成される。
【００３１】
コーナーパッドは、図５に示すように、投写レンズ８１に最も近いプロジェクタ８本体
の隅部８３（図４参照）に対応して設置する第１コーナーパッド２と、投写レンズ８１に
最も近い隅部８３以外の隅部のいずれかに対応して設置する第２コーナーパッド３とを有
して構成されている。なお、本実施形態では、隅部８３以外の３つの隅部８４，８５，８
６（図４参照）の全てに対応して第２コーナーパッド３を設置している。なお、以降、第
１コーナーパッド２、第２コーナーパッド３を、適宜、コーナーパッド２，３と総称して
呼称する。
【００３２】
第１コーナーパッド２は、図２、図５に示すように、角形状で形成され、梱包箱１内の
底面部で、プロジェクタ８の投写レンズ８１に最も近い隅部８３に対応する隅に、当て板
１５を介して配置されている。第１コーナーパッド２は、図２に示すように、プロジェク
タ８に対する衝撃を緩和するためのものであり、プロジェクタ８の底面側の衝撃を緩和す
る底面用緩衝部を構成する底面リブ２１と、プロジェクタ８の水平側の衝撃を緩和する水
平用緩衝部を構成する側面リブ２２とを有している。
【００３３】
また、第１コーナーパッド２は、全体がパルプモールド材によって形成されており、第
１コーナーパッド２の再生処理及び廃棄処理が可能とる。
【００３４】
第１コーナーパッド２は、梱包箱１内に対する配置状態において下方に開口する内部空
間２Ａが設けられている。これにより、第１コーナーパッド２の機械的強度が低くなるた
め、第１コーナーパッド２全体の緩衝機能が高められ、耐衝撃性が高められる。
【００３５】
また、第１コーナーパッド２の梱包箱１中心側の端部２５（梱包箱１の側面に接触しな
い角部）には、平面部２Ｂと、平面部２Ｂの中央部から端部２５に向かって下る勾配をも
つ傾斜面２Ｃとが設けられている。これにより、第１コーナーパッド２の端部２５におけ
る緩衝機能が高められ、耐衝撃性が高められる。なお、本実施形態における第１コーナー
パッド２の外周側面２Ｄの傾斜は５〜７度程度であるが、上記傾斜面２Ｃの傾斜はそれよ
りも大きく形成されている。
【００３６】
底面リブ２１は、図２に示すように、第１底面リブ２１１と第２底面リブ２１２とから
なり、平面部２Ｂより上方向に突出して形成されている。また、第１底面リブ２１１と第
２底面リブ２１２の上面は、扁平な面で形成され、スペーサ５を配置するように構成され
ている。
【００３７】
側面リブ２２は、図２に示すように、内側リブ２２１と外側リブ２２２とからなり、第
１底面リブ２１１の外側に配置され、底面リブ２１より上方向に突出して形成されている
。
【００３８】
そして、内側リブ２２１には、スペーサ５の側面に適合する側面部２２１ａが設けられ
ている。これにより、スペーサ５（中箱５１）の側面を側面部２２１ａに対接させ、内側
リブ２２１の内側にスペーサ５を配置するように構成されている。
【００３９】
外側リブ２２２は、第１外側リブ２２２Ａと第２外側リブ２２２Ｂとからなり、梱包箱
１の側壁に適合する側面部２２２ａが設けられている。これにより、外側リブ２２２の側
面部２２２ａを梱包箱１の側壁に対応させ、第１コーナーパッド２が梱包箱１内に配置さ
れるように構成されている。
【００４０】
また、第１コーナーパッド２にスペーサ５を介してプロジェクタ８を載置した場合、プ
ロジェクタ８の投写レンズ８１に最も近く、また投写レンズ８１の光軸８１ａ（図４参照
）に略平行となる側面部は、第２外側リブ２２２Ｂの側面部２２２ｂとなる。
【００４１】
第２コーナーパッド３は、第１コーナーパッド２と略同様に構成されている。詳細には
、図３、図５に示すように、角形状で形成され、梱包箱１内の底面部で、投写レンズ８１
に最も近い隅部８３以外のプロジェクタ８本体の隅部８４，８５，８６に対応する３つの
隅に、当て板１５を介して配置されている。
【００４２】
第２コーナーパッド３は、図３に示すように、プロジェクタ８に対する衝撃を緩和する
ためのものであり、プロジェクタ８の底面側の衝撃を緩和する底面用緩衝部を構成する底
面リブ３１と、プロジェクタ８の水平側の衝撃を緩和する水平用緩衝部を構成する側面リ
ブ３２とを有している。
【００４３】
また、第２コーナーパッド３は、第１コーナーパッド２と同様に、全体がパルプモール
ド材によって形成されており、第２コーナーパッド３の再生処理及び廃棄処理が可能とな
る。
【００４４】
第２コーナーパッド３は、梱包箱１内に対する配置状態において下方に開口する内部空
間３Ａが設けられている。これにより、第２コーナーパッド３の機械的強度が低くなるた
め、第２コーナーパッド３全体の緩衝機能が高められ、耐衝撃性が高められる。
【００４５】
また、第２コーナーパッド３の梱包箱１中心側の端部３５（梱包箱１の側面に接触しな
い角部）には、平面部３Ｂと、平面部３Ｂの中央部から端部３５に向かって下る勾配をも
つ傾斜面３Ｃとが設けられている。これにより、第２コーナーパッド３の端部３５におけ
る緩衝機能が高められ、耐衝撃性が高められる。なお、本実施形態における第２コーナー
パッド３の外周側面３Ｄの傾斜は５〜７度程度であるが、上記傾斜面３Ｃの傾斜はそれよ
りも大きく形成されている。
【００４６】
底面リブ３１は、図３に示すように、第１底面リブ３１１と第２底面リブ３１２とから
なり、平面部３Ｂより上方向に突出して形成されている、また、第１底面リブ３１１と第
２底面リブ３１２の上面は、扁平な面で形成され、スペーサ５を配置するように構成され
ている。
【００４７】
側面リブ３２は、図３に示すように、内側リブ３２１と外側リブ３２２とからなり、底
面リブ３１の外側に配置され、底面リブ３１より上方向に突出して形成されている。
【００４８】
そして、内側リブ３２１には、スペーサ５の側面に適合する側面部３２１ａが設けられ
ている。これにより、スペーサ５（中箱５１）の側面を側面部３２１ａに対接させ、内側
リブ３２１の内側にスペーサ５を配置するように構成されている。
【００４９】
外側リブ３２２は、第１外側リブ３２２Ａと第２外側リブ３２２Ｂと第３外側リブ３２
２Ｃとからなり、梱包箱１の側壁に適合する側面部３２２ａが設けられている。これによ
り、外側リブ３２２の側面部３２２ａを梱包箱１の側壁に対応させ、第２コーナーパッド
３が梱包箱１内に配置されるように構成されている。また、底面リブ３１と側面リブ３２
との間には、中間リブ３３が配置されている。
【００５０】
スペーサ４は、上部スペーサを構成し、全体が段ボール紙によって形成されている。こ
れにより、スペーサ４に段ボール紙自体の緩衝機能が加わり、十分な耐衝撃性が得られる
。このスペーサ４は、図１、図５に示すように、内側仕切部材４１と外側仕切部材４２と
からなり、梱包状態のプロジェクタ８の上方に配置されている。
【００５１】
内側仕切部材４１は、平面略矩形状に形成された本体部４１１と、梱包箱１の底面に向
かって延在する２つのスカート部４１２とを有し、梱包状態においてコーナーパッド２，
３とスペーサ５（中箱５１）の一部を覆うように構成されている。各スカート部４１２は
、本体部４１１の両側側縁に互いに接近する方向に折り曲げ形成されている。
【００５２】
一方、外側仕切部材４２は、内側仕切部材４１に一体に形成され、梱包時の作業性を高
めるように構成されている。この外側仕切部材４２は、梱包状態において内側仕切部材４
１の本体部４１１に対応する本体部４２１、および内側仕切部材４１のスカート部４１２
に対応するスカート部４２２とを有している。
【００５３】
外側仕切部材４２の本体部４２１の中央部には開口部４２１ａが形成されている。これ
により、本体部４２１の機械的強度が低くなるため、緩衝機能が高められ、外側仕切部材
４２の耐衝撃性が高められる。各スカート部４２２は、本体部４２１の両側側縁に互いに
接近する方向に折り曲げ形成されている。
【００５４】
スペーサ５は、図１、図５に示すように、中箱５１と受板（当て板）５２とからなり、
下部スペーサを構成している。そして、全体（中箱５１、受板５２）が段ボール紙によっ
て形成されている。これにより、スペーサ５に段ボール紙自体の緩衝機能が加わり、十分
な耐衝撃性が得られる。また、中箱５１が段ボール紙によって形成されていることで、中
箱５１に良好な摺動機能が加わる。このため、プロジェクタ８を単一の包装袋９６（図５
参照）内に収納して中箱５１内に梱包しても摩擦による紙粉の発生などの悪影響が抑制さ
れる。
【００５５】
中箱５１は、上方に開口する角形箱からなり、梱包状態においてプロジェクタ８とコー
ナーパッド２，３の底面リブ２１，３１との間に介装され、かつ側面リブ２２，３２の内
側に配置されている。そして、受板５２およびプロジェクタ８を収納し得るように構成さ
れている。これにより、プロジェクタ８の底面部および側面部が効果的に保護される。ま
た、中箱５１の側面部上方端縁には、プロジェクタ８の本体から突出する投写レンズ８１
の形状に対応する開口形状をもつ貫通窓としての切欠部５１１（図５参照）が設けられて
いる。これにより、プロジェクタ８の投写レンズ８１による中箱５１の嵩張りが防止され
る。
【００５６】
受板５２は、全体が平面略矩形板によって形成され、プロジェクタ８を載置し得るよう
に構成されている。中箱５１および受板５２には、プロジェクタ８の底面部に設置される
足部８２を逃がす貫通孔５１２，５２２が設けられている。これにより、プロジェクタ８
の本体がコーナーパッド２，３の底面リブ２１，３１上にスペーサ５（中箱５１および受
板５２）を介して安定した状態で載置される。なお、スペーサ５は、中箱５１のみで構成
されていても良い。
【００５７】
付属品箱６は、上方に開口する角形状の箱体６１およびこの箱体６１の上方開口部を開
閉する蓋体６２からなり、梱包箱１内におけるスペーサ４の上方に配置されている。この
付属品箱６は、全体が段ボール紙によって形成されている。これにより、付属品箱６に段
ボール紙自体の緩衝機能が加わり、十分な耐衝撃性が得られる。そして、プロジェクタ８
における電源ケーブルなどの付属品９０（図５参照）および追加部品（図示省略）や取扱
説明書９１を収納し得るように構成されている。
【００５８】
次に、本実施形態における梱包方法に関して、図５を用いて説明する。
本梱包方法は、「付属品箱への付属品の収納」および「中箱へのプロジェクタの収納」
と「梱包箱への付属品箱および中箱の収納」との各工程が順次実施されるため、これら各
工程を順次説明する。
【００５９】
ここで、付属品箱６内に収納する部品としては、付属品９０（電源ケーブル）および取
扱説明書９１の他、リモートコントローラ、コンピュータケーブル、ＡＶケーブルなどの
付属品９２、ソフトケース９３および安全・サポートの案内書９４がある。また、取扱説
明書９１は包装袋９５内に収納されているものとする。
【００６０】
「付属品箱への付属品の収納」を説明する。
先ず、包装袋９５中に案内書９４を収納し、付属品９２としてのリモートコントローラ
を包装袋９５外にテープによって貼付する。次に、組み立て済みの付属品箱６の箱体６１
内にソフトケース９３を収納した後、このソフトケース９３上にリモートコントローラが
貼付された包装袋９５を載置する。その後、付属品９２としてのコンピュータケーブル、
ＡＶケーブルなどを付属品箱６内に収納して蓋体６２で箱体６１を閉状態とする。
【００６１】
「中箱へのプロジェクタの収納」を説明する。
先ず、プロジェクタ８を包装袋９６内に収納し、この包装袋９６の開口部をテープ閉め
する。次に、包装袋９６の外表面にユーザ用注意書きシートＳをテープ止めした後、包装
袋９６内に収納されたプロジェクタ８を中箱５１内に収納する。この際、中箱５１の底面
部に受板５２を介してプロジェクタ８を載置する。この場合、プロジェクタ８が中箱５１
内（受板５２上）に載置されると、プロジェクタ８の投写レンズ８１が中箱５１の切欠部
５１１内に臨むとともに、足部８２が受板５２の貫通孔５２２内と中箱５１の貫通孔５１
２内に臨む。
【００６２】
「梱包箱への付属品箱および中箱の収納」を説明する。
先ず、予め底面開口部がテープ閉めされた梱包箱１内の底面部に当て板１５を載置し、
この当て板１５上の四隅にコーナーパッド２，３を載置する。詳細には、プロジェクタ８
の投写レンズ８１に最も近いプロジェクタ８本体の隅部８３に対応する隅には、第１コー
ナーパッド２を載置する。そして、他の３つの隅には、第２コーナーパッド３を載置する
。なお、当て板１５およびコーナーパッド２，３の載置は、中箱５１内にプロジェクタ８
を収納する前や付属品箱６内に付属品９０などを収納する前に実施してもよい。
【００６３】
次に、プロジェクタ８を収納済みの中箱５１を梱包箱１内に収納する。この場合、梱包
箱１内に中箱５１が収納されると、コーナーパッド２，３の底面リブ２１，３１上であっ
て側面リブ２２，３２の内側に位置する部位に配置される。なお、中箱５１の梱包箱１へ
の収納は、中箱５１内にプロジェクタ８を収納する前に実施してもよい。
【００６４】
その後、中箱５１上にスペーサ４を載置し、このスペーサ４上に付属品箱６を載置する
。この場合、スペーサ４が中箱５１上に載置されると、中箱５１およびコーナーパッド２
，３の一部がスペーサ４のスカート部４１２，４２２によって覆われる。
【００６５】
そして、梱包箱１をテープ閉めして閉状態とした後、梱包箱１の外表面にシリアルナン
バーラベルＲ１、商品コードラベルＲ２および仕向先シールＲ３を貼付する。
このようにして、プロジェクタ８を梱包することができ、梱包物１００が完成する。
【００６６】
図６は、プロジェクタを梱包した状態を示す図であり、同図（ａ）は、プロジェクタの
上面側から見た状態を示す平面図であり、同図（ｂ）は、プロジェクタを投射レンズ側か
ら見た状態を示す側面図である。また、図６は、プロジェクタ８本体の隅部８３，８４周
辺を図示している。なお、図６は、以降の説明を理解し易くするため要部を図示しており
、断面図として図示している部分もある。また、適宜、実線および破線で図示している。
図６を参照して、プロジェクタ８とコーナーパッド２，３との位置構成に関して説明する
。
【００６７】
図６に示すように、梱包箱１内の底面部に当て板１５を載置し、投写レンズ８１に最も
近いプロジェクタ８本体の隅部８３に対応する隅には、第１コーナーパッド２を載置して
いる。また、他の３つの隅には、第２コーナーパッド３を載置している。また、プロジェ
クタ８を収納済みの中箱５１（受板５２上にプロジェクタ８は載置している）をコーナー
パッド２，３の底面リブ２１，３１上であって側面リブ２２，３２の内側に位置する部位
に載置している。
【００６８】
詳細には、投写レンズ８１に最も近いプロジェクタ８本体の隅部８３に対応する中箱５
１の隅部側は、中箱５１の底面を第１コーナーパッド２の第１底面リブ２１１と第２底面
リブ２１２上に載置し、中箱５１の側面を内側リブ２２１の側面部２２１ａ内側に対接さ
せて配置している。また、プロジェクタ８本体の隅部８４に対応する中箱５１の隅部側は
、中箱５１の底面を第２コーナーパッド３の第１底面リブ３１１と第２底面リブ３１２上
に載置し、中箱５１の側面を内側リブ３２１の側面部３２１ａ内側に対接させて配置して
いる。
【００６９】
このとき、投写レンズ８１と第１コーナーパッド２との位置関係において、プロジェク
タ８の投写レンズ８１に最も近く、また投写レンズ８１の光軸８１ａに略平行となる第２
外側リブ２２２Ｂの側面部２２２ｂは、投写レンズ８１と投写レンズ８１側のスペーサ５
（中箱５１）の外側の側面部となる外側面部５１ａとの間に配置されている。更に、側面
部２２２ｂは、投写レンズ８１と投写レンズ８１側のプロジェクタ８本体の側面部８７と
の間に配置されている。そして、側面部２２２ｂは、投写レンズ８１の縁８１ｂから所定
の距離として距離Ａを有して配置されている。
【００７０】
なお、距離Ａとは、図６に示すように、投写レンズ８１の縁８１ｂと側面部２２２ｂと
の距離が最短の距離となる直線距離としている。
【００７１】
また、距離Ａは、梱包物１００の運搬時等の衝撃による水平用緩衝部としての側面リブ
２２の変形量以上に設定している。そのため、梱包物１００の運搬時等において、衝撃に
より、投写レンズ８１と第２外側リブ２２２Ｂの側面部２２２ｂとは当たることはない。
【００７２】
上述した、実施形態によれば以下の効果が得られる。
（１）本実施形態の梱包物１００によれば、投写レンズ８１に最も近いプロジェクタ８
本体の隅部８３に対応して設置される第１コーナーパッド２を、投写レンズ８１に最も近
い隅部８３以外の３つの隅部８４，８５，８６に対応して設置される第２コーナーパッド
３と形状を異ならせている。そのため、第１コーナーパッド２を、投写レンズ８１に対す
る衝撃による傷つけを防止する最適な形状とすることができる。従って、運搬時等の投写
レンズ８１に対する衝撃による傷つけを防止する梱包物１００が可能となる。また、第２
コーナーパッド３は単一の型板で成形することができるため、製造コストの低廉化を維持
することができる。
【００７３】
（２）本実施形態の梱包物１００によれば、スペーサ５（中箱５１）を有し、第１コー
ナーパッド２の緩衝部は、水平用緩衝部としての側面リブ２２を有している。そして、プ
ロジェクタ８の投写レンズ８１に最も近く、また投写レンズ８１の光軸８１ａに略平行と
なる第２外側リブ２２２Ｂの側面部２２２ｂは、投写レンズ８１の縁８１ｂと投写レンズ
８１側のスペーサ５（中箱５１）の外側面部５１ａとの間に、距離Ａを有している。また
、言い換えると、側面部２２２ｂは、投写レンズ８１の縁８１ｂと投写レンズ８１側のプ
ロジェクタ８本体の側面部８７との間に、距離Ａを有している。そして、距離Ａは、梱包
物１００の運搬時等の衝撃による水平用緩衝部としての側面リブ２２の変形量以上に設定
されている。従って、スペーサ５（中箱５１）を緩衝部材として使用しながら、正面方向
に対する衝撃に緩衝作用を奏しつつ、プロジェクタ８本体の水平方向に対する衝撃による
傷つけも防止する第１コーナーパッド２および梱包物１００が可能となる。特に、正面方
向に対し、第２外側リブ２２２Ｂがプロジェクタ８に対し重なるため、重量のあるプロジ
ェクタ８の正面方向の衝撃に対し有効に緩衝作用を奏することができる。なお、正面方向
とは、投写レンズ８１の光軸８１ａに平行であって、光が投写される方向をいう。
【００７４】
（３）本実施形態の梱包物１００によれば、第１コーナーパッド２は、全体がパルプモ
ールド材によって形成されるため、型板による成形が可能となり、第１コーナーパッド２
の成形を少量の成形材料で済ませることができ、第１コーナーパッド２の製造コストの低
廉化を図ることができる。また、第１コーナーパッド２の製造コストの低廉化により、梱
包物１００の製造コストの低廉化も図ることができる。
（第２実施形態）
【００７５】
図７は、本発明の第２実施形態に係るコーナーパッドの斜視図である。なお、図７は、
投写レンズ８１に最も近いプロジェクタ８本体の隅部８３に対応する第１コーナーパッド
７を示している。図７を参照して、第１コーナーパッド７の構成を説明する。
【００７６】
本実施形態は、第１実施形態で示した第１コーナーパッド２（図２参照）に対して、新
たな第１コーナーパッド７を使用したものである。その他の構成は第１実施形態と同様と
なる。
【００７７】
第１コーナーパッド７は、段ボール紙から形成され、長尺な平面矩形状の段ボール紙（
図示省略）を切断および折り曲げて組み立てられる。そして、第１コーナーパッド７は、
概略、立方体形状をなし、１つの頂点部分が相対する面に対して平行に一段窪んだ形状と
して形成されている。
【００７８】
また、第１コーナーパッド７の内部には、段ボール紙を折り曲げた緩衝部材（図示省略
）が収容されている。この構成により、第１コーナーパッド７全体の緩衝機能が高められ
、耐衝撃性が高められている。
【００７９】
このように形成された第１コーナーパッド７は、図７に示すように、プロジェクタ８の
底面側の衝撃を緩和する底面用緩衝部を構成する底面緩衝部７１と、プロジェクタ８の水
平側の衝撃を緩和する水平用緩衝部を構成する水平緩衝部７２とを有することになる。
【００８０】
底面緩衝部７１は、第１底面緩衝部７１１で構成され、その上面となる上面部７１１ａ
にスペーサ５が配置される。
【００８１】
水平緩衝部７２は、第１水平緩衝部７２１と第２水平緩衝部７２２とで構成される。第
１水平緩衝部７２１の側面部７２１ａと第２水平緩衝部７２２の側面部７２２ａとが第１
底面緩衝部７１１の上面部７１１ａに接している。そして、スペーサ５（中箱５１）の側
面を側面部７２１ａ，７２２ａに対接させ、第１水平緩衝部７２１と第２水平緩衝部７２
２との内側にスペーサ５を配置するように構成されている。
【００８２】
また、第１水平緩衝部７２１の外周側面となる側面部７２１ｂと第２水平緩衝部７２２
の外周側面となる側面部７２２ｂとが、梱包箱１の側壁に対接させ、第１コーナーパッド
７が梱包箱１内に配置されるように構成されている。
【００８３】
なお、第１コーナーパッド７にスペーサ５を介してプロジェクタ８を載置した場合、プ
ロジェクタ８の投写レンズ８１に最も近く、また投写レンズ８１の光軸８１ａに略平行と
なる側面部は、第１水平緩衝部７２１の側面部７２１ｃとなる。
【００８４】
図８は、プロジェクタを梱包した状態を示す図であり、同図（ａ）は、プロジェクタの
上面側から見た状態を示す平面図であり、同図（ｂ）は、プロジェクタを投射レンズ側か
ら見た状態を示す側面図である。また、図８は、プロジェクタ８本体の隅部８３，８４周
辺を図示している。なお、図８は、以降の説明を理解し易くするため要部を図示しており
、断面図として図示している部分もある。また、適宜、実線および破線で図示している。
図８を参照して、プロジェクタ８と第１コーナーパッド７との位置構成に関して説明する
。
【００８５】
図８に示すように、梱包箱１内の底面部に当て板１５を載置し、投写レンズ８１に最も
近いプロジェクタ８本体の隅部８３に対応する隅には、第１コーナーパッド７を載置して
いる。また、他の３つの隅には、第１実施形態と同様に第２コーナーパッド３を載置して
いる。
【００８６】
投写レンズ８１に最も近いプロジェクタ８本体の隅部８３に対応する中箱５１の隅部側
は、第１コーナーパッド７の第１底面緩衝部７１１（底面緩衝部７１）の上面部７１１ａ
上であって、第１水平緩衝部７２１の側面部７２１ａおよび第２水平緩衝部７２２の側面
部７２２ａの内側に位置する部位に載置している。また、プロジェクタ８本体の隅部８４
に対応する中箱５１の隅部側は、中箱５１の底面を第２コーナーパッド３の第１底面リブ
３１１と第２底面リブ３１２上に載置し、中箱５１の側面を内側リブ３２１の側面部３２
１ａ内側に対接させて配置している。
【００８７】
このとき、投写レンズ８１と第１コーナーパッド７との位置関係において、プロジェク
タ８の投写レンズ８１に最も近く、また投写レンズ８１の光軸８１ａに略平行となる第１
水平緩衝部７２１の側面部７２１ｃは、投写レンズ８１と投写レンズ８１側のスペーサ５
（中箱５１）の外側面部５１ａとの間に配置されている。更に、側面部７２１ｃは、投写
レンズ８１と投写レンズ８１側のプロジェクタ８本体の側面部８７との間に配置されてい
る。そして、側面部７２１ｃは、投写レンズ８１の縁８１ｂから所定の距離として距離Ｂ
を有して配置されている。
【００８８】
なお、距離Ｂとは、図８に示すように、投写レンズ８１の縁８１ｂと側面部７２１ｃと
の距離が最短の距離となる直線距離としている。
【００８９】
また、距離Ｂは、梱包物１１０の運搬時等の衝撃による水平用緩衝部としての水平緩衝
部７２の変形量以上に設定している。そのため、梱包物１１０の運搬時等において、衝撃
により、投写レンズ８１と第１水平緩衝部７２１の側面部７２１ｃとは当たることはない
。
【００９０】
上述した、実施形態によれば第１実施形態での効果と同様の効果を奏することができる
以外に、以下の効果が得られる。
（１）本実施形態の第１コーナーパッド７は、段ボール紙を使用し、切断および折り曲
げて組み立てられている。従って、プロジェクタ８の種類により投写レンズ８１の取付け
位置が変化する場合に、対応し易くなる。また、このような第１コーナーパッド７を使用
してプロジェクタ８を梱包する梱包物１１０は、プロジェクタ８の種類により投写レンズ
８１の取付け位置が変化する場合に対応し易い梱包物１１０となる。
【００９１】
なお、本発明は、上述した実施形態に限定されず、種々の変更や改良などを加えること
が可能である。変形例を以下に述べる。
【００９２】
（変形例１）前記第１実施形態において、第１コーナーパッド２の第２外側リブ２２２
Ｂの側面部２２２ｂは、投写レンズ８１と投写レンズ８１側のプロジェクタ８本体の側面
部８７との間に、投写レンズ８１から距離Ａを有して配置されている。しかし、これに限
らず、中箱５１の側面が厚くなる場合などには、第２外側リブ２２２Ｂの側面部２２２ｂ
は、投写レンズ８１と投写レンズ８１側の中箱５１の外側面部５１ａとの間に、投写レン
ズ８１の縁８１ｂから距離Ａを有して配置されても良い。この場合には、第１コーナーパ
ッド２は、中箱５１を受けて間接的にプロジェクタ８への衝撃を緩和する。この関係は、
第２実施形態でも同様となる。
【００９３】
（変形例２）前記実施形態において、プロジェクタ８は、包装袋９６内に収納し、中箱
５１内に梱包している。また、その中箱５１を第１実施形態では、コーナーパッド２，３
に載置し、第２実施形態ではコーナーパッド３，７に載置している。しかし、これに限ら
ず、中箱５１を使用せずに、プロジェクタ８を包装袋９６内に収納した状態で、コーナー
パッド２，３に載置しても良いし、また、コーナーパッド３，７に載置しても良い。
【００９４】
（変形例３）前記実施形態において、図示していないが、投写レンズ８１には、そのレ
ンズ面をカバーするレンズカバー部材も含めている。従って、距離Ａ，Ｂは、レンズカバ
ー部材を含める投写レンズ８１の縁８１ｂからの距離としている。
【００９５】
（変形例４）前記実施形態において、第１コーナーパッド２は、第２コーナーパッド３
と形状を異ならせている。また、第１コーナーパッド７は、第２コーナーパッド３と形状
および材質を異ならせている。しかし、これに限らず、第１コーナーパッド２，７を第２
コーナーパッド３と同形状とし、硬度を若干向上させたパルプモールド材で形成すること
でも良い。それにより、衝撃による緩衝機能が若干低くなるものの、プロジェクタ８（投
写レンズ８１）のコーナーパッド側への移動が少なくなり、投写レンズ８１の傷つけを防
止することができる。また、第１コーナーパッド２，７を第２コーナーパッド３と同形状
とし、パルプモールド材ではない、例えば、再生処理及び廃棄処理が可能な合成樹脂材料
などの材質で形成しても良い。
【００９６】
（変形例５）前記第１実施形態において、コーナーパッド２，３は、投写レンズ８１に
最も近いプロジェクタ８本体の隅部８３に対応して設置する第１コーナーパッド２と、投
写レンズ８１に最も近い隅部８３以外の隅部として、３つの隅部８４，８５，８６（投写
レンズ８１に最も近い隅部８３以外のプロジェクタ８本体の隅部８４，８５，８６の全て
）に対応して設置する第２コーナーパッド３とを有して構成されている。しかし、投写レ
ンズ８１に最も近い隅部８３以外の隅部８４，８５，８６の全てに第２コーナーパッド３
を設置する必要はなく、いずれかの隅部に第２コーナーパッド３を設置することで良い。
言い換えれば、いずれかの隅部に第１コーナーパッド２を設置することでも良い。例えば
、投写レンズ８１に最も近い隅部８３以外の隅部８４，８５，８６のいずれかに対応させ
て第１コーナーパッド２を１つまたは２つ設置することでも良い。なお、前記第２実施形
態における第１コーナーパッド７に関しても同様であり、投写レンズ８１に最も近い隅部
８３以外の隅部８４，８５，８６のいずれかに対応させて第１コーナーパッド７を１つま
たは２つ設置することでも良い。
【００９７】
なお、本発明を実施するための最良の形態を、上記記載で開示しているが、本発明は、
これに限定されるものではない。すなわち、本発明は、主に特定の実施形態に関して図示
し、かつ、説明しているが、本発明の技術的思想および目的の範囲から逸脱することなく
、上述した実施形態に対し、詳細な構成部材の形状・材質・数量などにおいて、当業者が
様々な変形（変更ならびに改良）を加えることができるものである。従って、詳細な構成
部材の形状・材質・数量などにおいて、当業者が様々な変形を加えることにより実施する
場合も本発明に含まれるものである。
【図面の簡単な説明】
【００９８】
【図１】本発明の第１実施形態に係る梱包物の概断面図であり、（ａ）は長辺側から見た状態を示す断面図であり、同図（ｂ）は短辺側から見た状態を示す断面図。
【図２】第１コーナーパッドを示す斜視図。
【図３】第２コーナーパッドを示す斜視図。
【図４】被梱包物としてのプロジェクタの斜視図であり、（ａ）は上面部を示す斜視図であり、（ｂ）は底面部を示す斜視図。
【図５】梱包物の梱包方法を示す図。
【図６】プロジェクタを梱包した状態を示す図であり、（ａ）はプロジェクタの上面側から見た状態を示す平面図であり、（ｂ）はプロジェクタを投射レンズ側から見た状態を示す側面図。
【図７】本発明の第２実施形態に係るコーナーパッドの斜視図。
【図８】プロジェクタを梱包した状態を示す図であり、（ａ）はプロジェクタの上面側から見た状態を示す平面図であり、（ｂ）はプロジェクタを投射レンズ側から見た状態を示す側面図。
【符号の説明】
【００９９】
１…梱包箱、２…第１コーナーパッド、３…第２コーナーパッド、４…スペーサ、５…
スペーサ、７…第１コーナーパッド、８…プロジェクタ、２１，３１…底面リブ、２２，
３２…側面リブ、５１…中箱、７１…底面緩衝部、７２…水平緩衝部、８１…投写レンズ
、８１ａ…光軸、８３…隅部、８７…側面部、１００，１１０…梱包物、２２２…外側リ
ブ、２２２ｂ…側面部、７２１…第１水平緩衝部、７２１ｃ…側面部。
【図１】
2008239203.tif 000003
【図２】
2008239203.tif 000004
【図３】
2008239203.tif 000005
【図４】
2008239203.tif 000006
【図５】
2008239203.tif 000007
【図６】
2008239203.tif 000008
【図７】
2008239203.tif 000009
【図８】
2008239203.tif 000010